(57)【要約】【課題】広視野のＡＦエリアを確保しながらライブビューを観察しながらデジタル撮影できない。【解決手段】メインミラー１０６は固定され、たとえば、ペリクルミラーのようなハーフミラーとされ、撮影レンズ２０２を通過した被写体からの光束は、反射光と透過光とに分割され、反射光はＡＦセンサユニット１１０に入射され、透過光はＣＣＤなどの撮像素子からなるイメージャ１２２に入射される。イメージャ１２２で光電変換されて得られた画像（ライブビュー）はＥＶＦ表示ユニット１２４に表示され、ルーペレンズ１２６で拡大され、ファインダで観察しながら撮像される。全画面範囲の光束がメインミラー１０６で反射され、全画面範囲がＡＦエリアの対象となる。【選択図】図１
2006197406.tif 000002
【特許請求の範囲】
【請求項１】
ファインダを有するカメラにおいて、
カメラボディ内に固定され、反射面を有し、撮影レンズを通過した光束を上記反射面を透過した透過光と上記反射面で反射した反射光とに分割をする光路分割手段と、
前記光路分割手段からの透過光を受光する撮像手段と、
上記反射面の略全面からの反射光を受光する焦点検出手段と、
上記ファインダ内に設けられ、上記撮像手段からの画像を表示する撮像表示手段と、
を備えたことを特徴とするカメラ。
【請求項２】
前記焦点検出手段は、位相差検出式の焦点検出手段であることを特徴とする請求項１記載の撮像装置。
【請求項３】
前記焦点検出手段は、被写体の多点を測距可能な焦点検出手段であることを特徴とする請求項２記載の撮像装置。
【請求項４】
前記光路分割手段はペリクルミラーであることを特徴とする請求項１乃至３記載の撮像装置。
【請求項５】
前記撮像手段は電子シャッタ機能を有し、前記撮像手段の前面に機械式シャッタを設けたことを特徴とする請求項１乃至４記載の撮像装置。
【発明の詳細な説明】
【技術分野】
【０００１】
本発明は、ファインダで被写体像を観察しながらデジタル撮影する撮像装置に関する。
【背景技術】
【０００２】
デジタルカメラ、デジタルビデオカメラ（報道用、映画用を含める）、顕微鏡、内視鏡などの撮像装置などにおいては、ファインダを持ち、ファインダで被写体を観察しながら撮像がなされている。たとえば、デジタル一眼レフカメラ（以下、適宜、「カメラ」という）では、一般的に、被写体からの光束をクイックリターミラーと称するメインミラーで反射し反射光を光学ファインダに導いて、撮影レンズが現在とらえている被写体像（ライブビュー）を光学ファインダで観察し、撮影時には、メインミラーを跳ね上げて被写体からの光束をＣＣＤなどの撮像素子（イメージャ）に導く構成となっている。
【０００３】
しかし、跳ね上げ式のメインミラー（クイックリターミラー）では、撮影ごとにメインミラーの跳ね上げ、初期位置への復帰が繰り返されるため、メインミラーの動作時間に対応する時間だけレリーズタイムラグが長くなる傾向にある。
【０００４】
そのため、特開２００２−１８２２６８号公報には、メインミラーを半透過性のミラー（ハーフミラー）として固定し、被写体からの光束をメインミラーによって反射光と透過光とに光路分割して、反射光を光学ファインダで観察するとともに、透過光をＣＣＤなどの撮像素子（イメージャ）に導き、光電変換した画像をライブビューとして観察する構成が提案されている。この構成では、メインミラーは固定されているため、メインミラーの作動時間に起因するレリーズタイムラグはない。
【特許文献１】特開２００２−１８２２６８号公報
【発明の開示】
【発明が解決しようとする課題】
【０００５】
しかし、上記特開２００２−１８２２６８号公報の構成では、撮像素子への光量の減少を極力少なくするために反射光をできるだけ少なくしたい反面、光学ファインダでの観察像の明るさを確保するように反射光を可能な限り多くする必要があり、メインミラーの反射率の設定が難しい。そして、通常は、撮像側の感度を確保するために、結果的にファインダ側が犠牲になって暗くならざるを得ない。
【０００６】
また、ＴＴＬ位相差式のＡＦセンサで測距する場合、ＡＦミラーは回動可能とされ、撮影時にはＡＦミラーは退避位置に回動されるため、ＡＦミラーの回動時間だけレリーズタイムラグが長くなる。
さらに、ＡＦミラーが大きくなれば、ＡＦエリアが広く設定できる。しかし、ＡＦミラーを大きくすれば、ＡＦミラーの回動を確保するスペースが広くなり、スペースの関係からＡＦミラーの大きさが制約され、広視野のＡＦエリアが得られない。
【課題を解決するための手段】
【０００７】
本発明の撮像装置は、ファインダを有する撮像装置であり、カメラボディ内に固定され、反射面を有し、撮影レンズを通過した光束を上記反射面を透過した透過光と上記反射面で反射した反射光とに分割をする光路分割手段と；前記光路分割手段からの透過光を受光する撮像手段と；上記反射面の略全面からの反射光を受光する焦点検出手段と；上記ファインダ内に設けられ、上記撮像手段からの画像を表示する撮像表示手段と；を備えて構成されている。
【発明の効果】
【０００８】
本発明によれば、固定された光路分割手段からの透過光を受光する撮像手段の画像をファインダ内の撮像表示手段に表示させているため、ライブビューをファインダで観察しながら撮像でき、全画面範囲の光束が固定の光路分割手段で反射されるため、全画面範囲がＡＦエリアの対象となり、広視野のＡＦエリアが得られる。
【発明を実施するための最良の形態】
【０００９】
本発明では、固定されたペリクルミラーで被写体からの光束が透過光と反射光に分割され、透過光は電子シャッタ機能を持つＣＣＤなどの撮像素子で受光され、撮像素子での画像は液晶ディスプレイ（ＬＥＤ）からなるＥＶＦ表示ユニットに表示され、ルーペで拡大されて観察される。
【実施例】
【００１０】
以下、図面を参照して本発明の実施例を説明する。図１は、デジタル一眼レフカメラとして具体化された本発明の実施例に係る撮像装置の概略縦断面図を示す。
図１に示すように、カメラ（デジタル一眼レフカメラ）１０は、ミラーボックスユニット１０２を持つカメラボディ１００と、撮影光学系である撮影レンズ２０２を持ち、レンズマウント２００ａをボディマウント１００ａに取付けてカメラボディに着脱可能に装着されるレンズユニット（いわゆる交換レンズ）２００とを備えて構成されている。
【００１１】
ＣＰＵなどからなるシステムコントローラ１０４が、カメラボディ１００に設けられてカメラボディの各構成要素の動きを制御している。レンズユニット２００にもシステムコントローラ(図示しない)が設けられ、カメラボディのシステムコントローラ１０４とレンズユニットのシステムコントローラとは、カメラボディおよびレンズユニットの通信手段（図示しない）によって電気的に連結されて情報を交換している。たとえば、後述するＡＦセンサユニットで出力された被写体距離情報がシステムコントローラ１０４に入力され、カメラボディおよびレンズユニットの通信手段を介してレンズユニット２００のシステムコントローラに伝達され、レンズ駆動手段（図示しない）を駆動して撮影レンズ２１２が合焦される。
【００１２】
カメラボディのミラーボックスユニット１０２には、メインミラー１０６が固定して収納され、メインミラーはペリクルミラーのようなハーフミラーとされる。メインミラーがハーフミラーであるため、撮影レンズ２０２を通過した被写体からの光束は、反射光と透過光とにその光路が分割され、後述するように、反射光の光路はＡＦ光路に、透過光の光路はファインダ光路となる。光路分割手段として機能するメインミラー１０６がペリクルミラーのような薄いものであれば、光学収差の発生が抑制される。
【００１３】
ミラーボックスユニット１０２の上方にはＡＦセンサユニット１１０が配置され、ミラーボックスユニット１０２の背後（被写体とは逆側）には、機械式シャッタ、たとえば、フォーカルプレーンシャッタ１２０と、ＣＣＤなどの撮像素子からなるイメージャ(撮像手段)１２２とが配置されている。イメージャ１２２として、電子シャッタ機能を持つものが使用される。
メインミラー１０６が固定され、メインミラーの可動がないため、シャッタレリーズに先立ってフォーカルプレーンシャッタ１２０を開放することができ、フォーカルプレーンシャッタ（機械式シャッタ）にイメージャ１２２の電子シャッタを組合わせることにより、レリーズタイムラグが大幅に短縮される。
【００１４】
メインミラー１０６からの反射光はＡＦセンサユニット１１０に入射され、反射光を利用して測距、合焦がなされる。また、メインミラー１０６からの透過光は、フォーカルプレーンシャッタ１２０を介してイメージャ１２２に入射され、光電変換されて得られた画像（ライブビュー）はＥＶＦ表示素子１２４に表示され、ルーペレンズ１２６で拡大されて観察される。
【００１５】
再生画像を表示するため背面表示ユニット１２８がカメラボディ１００に設けられており、イメージャ１２２の画像（ライブビュー）をＥＶＦ表示素子１２４、背面表示ユニット１２８の双方に表示する構成としてもよい。この構成では、電子ファインダ（電子ビューファインダ；ＥＶＦ）として、２系列、すなわち、ルーペレンズ１２６を介した系列と、背面表示ユニット１２８による系列とが利用でき、使用者の多様な要求に対応できる。たとえば、ＥＶＦ表示素子１２４、背面表示ユニット１２８は、液晶ディスプレイ（ＬＥＤ）などからいずれも構成される。
【００１６】
背面表示ユニット１２８は、通常、カメラボディ１００の背面に固定されるが、背面表示ユニットのライブビューを観察しながらセルフ撮影できるように、背面表示ユニットを可動可能としてもよい。
ファインダが電子ファインダ（ＥＶＦ）であるため、メインミラー１０６の反射率が低くて反射光が少ない場合でも、ファインダの光量不足が容易に制御、補正でき、明るいファインダが得られる。従って、メインミラー１０６の反射率の設定に困難はない。
【００１７】
ＡＦセンサユニット１１０は、たとえば位相差検出方式により焦点検出を行なうものであり、コンデンサレンズ１１２、絞り１１４、一対のセパレータレンズ１１６、測距素子（ＡＦセンサ）１１８を備えている。位相差検出方式のＡＦセンサユニット１１０は公知であり、詳細に説明しないが、メインミラー１０６からの反射光はコンデンサレンズ１１２で集光され、絞り１１４を経てセパレータレンズ１１６に入射し、２つの光束に分割されて測距素子１１８で受光される。そして、測距素子１１８における２つの光束の光量分布のずれ量がシステムコントローラ１０４に出力され、システムコントローラで被写体距離を演算し、その被写体距離情報がレンズユニット側のシステムコントローラ（図示しない）に伝達され、レンズ駆動手段（図示しない）を駆動して撮影レンズ２１２が合焦される。
【００１８】
撮像素子によるＡＦでは、撮影レンズを駆動してコントラストのピークとなる位置を求めて合焦するためＡＦ速度が遅いのに対し、相差検出方式のＡＦセンサユニットでは、被写体距離を算出してから撮影レンズを駆動しているためＡＦ速度が速く、合焦が迅速になされる。
【００１９】
メインミラー１０６がＡＦミラーとして機能し、ＡＦミラーは不要であるため、ＡＦミラーの回動に起因するレリーズタイムラグの生じる余地はない。また、メインミラーによって全画面範囲の光束が反射されてＡＦセンサユニット１１０に入射されるため、全画面範囲がＡＦエリアの対象となり、広視野のＡＦエリアが得られる。
【００２０】
図２はライブビュー観察のもとでのデジタル撮影動作のフローチャートを示す。まず、電源スイッチ（図示しない）をオンにしてスタートし（Ｓ１０１）、電源スイッチのオンによってカメラが起動し、フォーカルプレーンシャッタ（シャッタ）１２０が開き（Ｓ１０２）、イメージャ１２２が受光し、光電変換された画像がＥＶＦ表示ユニット１２４、背面表示ユニット１２８のいずれかまたは双方に表示されてライブビューが観察される（Ｓ１０３）。
【００２１】
シャッタ１２０の１ｓｔレリーズがモニタされ（Ｓ１０３）、１ｓｔレリーズされると、ＡＦセンサユニット１１０に入射された、メインミラー１０６からの反射光で測距され（Ｓ１０５）、撮影レンズ２０２を駆動して合焦がなされる（Ｓ１０６）。次に、シャッタ１２０の２ｎｄレリーズがモニタされ（Ｓ１０７）、２ｎｄレリーズされると、絞りによって入射光束が絞り込まれ（Ｓ１０８）、システムコントローラ１０４に制御されてイメージャ１２２の電子シャッタ機能が動作して露光がなされる（Ｓ１０９）。
なお、Ｓ０１４、Ｓ１０７において、シャッタ１２０が１ｓｔレリーズまたは２ｎｄレリーズされなければ、レリーズされるまで待機する。
【００２２】
電子シャッタによる露光が終わると、絞りが開き（Ｓ１１０）、撮像された画像データが読出され（Ｓ１１１）、Ａ／Ｄ変換され、圧縮処理などの画像処理を経てメモリに記憶される（Ｓ１１３）。そして、電源スイッチのオフがモニタされ（Ｓ１１４）、電源スイッチが押されずオンのままなら、Ｓ１０４に戻って撮像が繰り返され、電源スイッチを押してオフになれば、背面表示ユニット１２８への給電が停止されてライブビューも終了し（Ｓ１１５）、シャッタ１２０が閉じ（Ｓ１１６）、カメラがいわゆるスリープ状態に入って撮影動作が終了する（Ｓ１１７）。
【００２３】
上記のように、本発明によれば、固定されたメインミラー１０６からの透過光を受光するイメージャ１２２の画像をファインダ内のＥＶＦ表示ユニット１２４に表示させているため、ライブビューをファインダ（電子ファインダ）で観察しながら撮像できる。また、全画面範囲の光束が固定のメインミラー１０６で反射されるため、全画面範囲がＡＦエリアの対象となり、広視野のＡＦエリアが得られる。
【００２４】
上述した実施例は本発明を説明するためのものであり、本発明は実施例に限定されるものではなく、本発明の要旨を逸脱しない範囲内において、上記以外の変形や応用が可能であることはいうまでもない。
【産業上の利用可能性】
【００２５】
本発明によれば、ライブビューを電子ファインダ（ＥＶＦ）で観察しながら撮影でき、広視野でのＡＦの必要なデジタル撮影の分野に本発明が広範囲に応用できる。
【図面の簡単な説明】
【００２６】
【図１】デジタル一眼レフカメラとして具体化された本発明の実施例に係る撮像装置の概略縦断面図を示す。
【図２】実施例における撮影動作のフローチャートを示す。
【符号の説明】
【００２７】
１０      撮像装置（デジタル一眼レフカメラ）
１００    カメラボディ
１０４    システムコントローラ
１０６    メインミラー(光路分割手段)
１１０    ＡＦセンサユニット(焦点検出手段)
１２０    フォーカルプレーンシャッタ（機械式シャッタ）
１２２    イメージャ（撮像手段）
１２４    ＥＶＦ表示ユニット（撮像表示手段）
１２６    ルーペレンズ
１２８    背面表示ユニット
２００    レンズユニット
２１２    撮影レンズ
【図１】
2006197406.tif 000003
【図２】
2006197406.tif 000004